(57)【特許請求の範囲】
【請求項１】
省電力機能を有するコンピュータとの無線通信が可能な携帯情報機器において、前記コンピュータの省電力機能の実行・非実行を無線で制御する制御手段を備えており、該制御手段は、自身に対する電源投入／切断、または、レジューム／サスペンドの操作に応じて前記コンピュータのレジューム／サスペンドを制御する手段を有することを特徴とする携帯情報機器。
【請求項２】
前記コンピュータに格納されている画像データ及び／または音声データを無線にて受信する手段と、受信した画像データ及び／または音声データに応じた画像及び／または音声を再生する手段とを備える請求項１記載の携帯情報機器。
【請求項３】
動画像を表示する表示手段と、該表示手段に表示された動画像を停止する停止手段とを備える請求項２記載の携帯情報機器。
【請求項４】
前記停止手段が作動中は、前記コンピュータの省電力機能を実行させるように構成した請求項３記載の携帯情報機器。
【請求項５】
前記コンピュータから画像データの送信がなされているか否かを判断する手段と、画像データの送信がなされていると判断した場合に、前記コンピュータの画面解像度を自身の画面解像度に応じて設定する手段とを備える請求項２記載の携帯情報機器。
【請求項６】
省電力機能を有するコンピュータと、該コンピュータとの無線通信が可能である携帯情報機器とを備えるコンピュータシステムにおいて、前記携帯情報機器は、前記コンピュータの省電力機能の実行・非実行を無線で制御する制御手段を有しており、該制御手段が、自身に対する電源投入／切断、または、レジューム／サスペンドの操作に応じて前記コンピュータのレジューム／サスペンドを制御するようにしてあることを特徴とするコンピュータシステム。
【発明の詳細な説明】
【０００１】
【発明の属する技術分野】
本発明は、携帯情報機器に関し、特に、コンピュータと無線通信が可能である携帯情報機器に関する。
【０００２】
【従来の技術】
近年、ノート型パーソナルコンピュータ（以下、ノートＰＣという）の普及がめざましく、出張等の外出時にノートＰＣを携行し、外出先でそれを使用して各種の処理を行うビジネスマンも多くなっている。ところが、このようなノートＰＣを例えば電車の中で使用する場合、狭い座席にて操作するので操作性が悪く、また、他人の迷惑になることも考えられる。更に、電車の中で立ったまままノートＰＣを開いて使用することはほとんど不可能に近い。
【０００３】
このような状況にあって、行動予定等を外出先で管理する際には、電子手帳を利用するユーザが多い。しかし、ノートＰＣで稼働するアプリケーションは取扱い易いので、社内と外出先とでノートＰＣと電子手帳とを使い分け、管理情報をそれぞれの機器に格納しておき、両者間で管理情報をシンクロナイズさせるユーザも多い。
【０００４】
【発明が解決しようとする課題】
上述のようにシンクロナイズさせるためには、専用の機器が必要であり、また、その処理に時間と手間とがかかるという問題がある。なお、電子手帳と同等サイズのノートＰＣも開発されているが、それを外出先の事務所内で使用する場合には、ハードディスクの容量，画面の大きさ等の点でユーザに不満が残る。このような状況により、ノートＰＣを携行した外出先において、ノートＰＣを直接操作することなくそれに格納された情報を簡便に取り出せ、また、ノートＰＣに対して種々の遠隔操作を容易に行える携帯情報機器の開発が望まれている。
【０００５】
本発明は斯かる事情に鑑みてなされたものであり、無線によりコンピュータのレジューム／サスペンドを自身に対する操作に同期して制御することにより、コンピュータの不要な電力の消費を無意識のうちに防止できてコンピュータが長く作動し、コンピュータからの長時間にわたる情報の受信が可能となる携帯情報機器、及び、この携帯情報機器とこれに連携するコンピュータとを備えるコンピュータシステムを提供することを目的とする。
【０００６】
本発明の他の目的は、コンピュータに格納された情報を無線受信して使用することにより、従来のようなシンクロナイズする処理が不要であって、ユーザの利便性が高い携帯情報機器、及び、この携帯情報機器とこれに連携するコンピュータとを備えるコンピュータシステムを提供することにある。
【０００８】
【課題を解決するための手段】
請求項１に係る携帯情報機器は、省電力機能を有するコンピュータとの無線通信が可能な携帯情報機器において、前記コンピュータの省電力機能の実行・非実行を無線で制御する制御手段を備えており、該制御手段は、自身に対する電源投入／切断、または、レジューム／サスペンドの操作に応じて前記コンピュータのレジューム／サスペンドを制御する手段を有することを特徴とする。
【０００９】
この携帯情報機器では、無線による情報の取得先であるコンピュータの省電力機能の実行・非実行を制御することとし、自身の電源投入／切断、または、レジューム／サスペンドの操作に応じてコンピュータのレジューム／サスペンドを制御する。よって、コンピュータへの直接操作を行うことなく、コンピュータの動作を特に意識せずに、コンピュータの省電力化を図れる。
【００１２】
請求項２に係る携帯情報機器は、請求項１において、前記コンピュータに格納されている画像データ及び／または音声データを無線にて受信する手段と、受信した画像データ及び／または音声データに応じた画像及び／または音声を再生する手段とを備えることを特徴とする。
【００１３】
この携帯情報機器では、コンピュータに格納された情報を受信して利用する。よって、シンクロナイズする手間がいらず、利便性は高く、また、ＣＰＵの消費電力が少なくて済み、小型・軽量化を図れる。
【００１６】
請求項３に係る携帯情報機器は、請求項２において、動画像を表示する表示手段と、該表示手段に表示された動画像を停止する停止手段とを備えることを特徴とする。
【００１７】
この携帯情報機器では、画面上の表示画像を任意に停止させる。よって、コンピュータでの表示画像と組み合わせてマルチ画面を構成できる。また、コンピュータから離れた場所で、コンピュータからの情報を視認できる。
【００１８】
請求項４に係る携帯情報機器は、請求項３において、前記停止手段が作動中は、前記コンピュータの省電力機能を実行させるように構成したことを特徴とする。
【００１９】
この携帯情報機器では、画面上の表示画像を停止させた際に、コンピュータの省電力機能をより高く制御し、サスペンドとする。よって、コンピュータの更なる省電力化を図れる。
【００２０】
請求項５に係る携帯情報機器は、請求項２において、前記コンピュータから画像データの送信がなされているか否かを判断する手段と、画像データの送信がなされていると判断した場合に、前記コンピュータの画面解像度を自身の画面解像度に応じて設定する手段とを備えることを特徴とする。
【００２１】
この携帯情報機器では、自身の画面解像度に応じてコンピュータの画面解像度を自動設定する。よって、携帯情報機器と連携して使用している場合と単独で使用している場合とで、コンピュータで最適な画面解像度を実現でき、ユーザの利便性が向上する。
【００２２】
請求項６に係るコンピュータシステムは、省電力機能を有するコンピュータと、該コンピュータとの無線通信が可能である携帯情報機器とを備えるコンピュータシステムにおいて、前記携帯情報機器は、前記コンピュータの省電力機能の実行・非実行を無線で制御する制御手段を有しており、該制御手段が、自身に対する電源投入／切断、または、レジューム／サスペンドの操作に応じて前記コンピュータのレジューム／サスペンドを制御するようにしてあることを特徴とする。
【００２３】
このコンピュータシステムでは、携帯情報機器からの無線通信によりコンピュータの省電力機能を実行することとし、携帯情報機器の電源投入／切断、または、レジューム／サスペンドの操作に応じてコンピュータのレジューム／サスペンドを制御する。よって、携帯情報機器が立ち上がっている場合にのみコンピュータは電力を消費するため、コンピュータの長時間使用を可能とする。
【００２６】
【発明の実施の形態】
以下、本発明をその実施の形態を示す図面を参照して具体的に説明する。
（第１の実施の形態）
図１は、本発明の第１の実施の形態における携帯情報機器の構成図である。図１において、１，２は後述するハードウェア間のデータ伝送を行うＰＣＩ（Ｐｅｒｉｐｈｅｒａｌ  Ｃｏｍｐｏｎｅｎｔ  Ｉｎｔｅｒｃｏｎｎｅｃｔ）バス、ＩＳＡ（Ｉｎｄｕｓｔｒｙ  Ｓｔａｎｄａｒｄ  Ａｒｃｈｉｔｅｃｔｕｒｅ）バスである。また、３は後述するノートＰＣとの間で電波を送受信するアンテナである。
【００２７】
ＰＣＩバス１には、第１ブリッジ回路４を介して、ＣＰＵ５及び数ＭＢ容量のメモリ６が接続され、また、アンテナ３での送受信処理を制御する無線ユニット７、レジューム／サスペンドを切り換えて省電力を制御する省電力制御ユニット８、ノートＰＣからの画像データを格納するフレームメモリ９、第２ブリッジ回路１０もＰＣＩバス１に接続されている。フレームメモリ９には、ＬＣＤ（ＬｉｑｕｉｄＣｒｙｓｔａｌ  Ｄｉｓｐｌａｙ）ドライバ１１を介して、ＬＣＤを有する表示ユニット１２が接続されている。表示ユニット１２のＬＣＤは、ＶＧＡ（Ｖｉｄｅｏ  Ｇｒａｐｈｉｃｓ  Ａｒｒａｙ）の解像度を有する。
【００２８】
また、ＩＳＡバス２には、前記第２ブリッジ回路１０、ノートＰＣからのディジタルの音声データをアナログデータに変換するＤ／Ａ変換器１３、携帯情報機器の動作に必要なソフトウェアのプログラムを予め格納しているＲＯＭ１４が接続されている。第２ブリッジ回路１０には、ユーザが外部入力操作を行うユーザ操作部１５が接続され、ユーザ操作部１５は、データ入力用のペン１５ａ  、電源の投入・切断を決定するＯＮ／ＯＦＦボタン１５ｂ  、レジューム・サスペンドを決定するＳｕｓ／Ｒｅｓ  ボタン１５ｃ  、表示ユニット１２の画面の画像停止を行うフリーズボタン１５ｄ  等を有する。Ｄ／Ａ変換器１３には、アナログの音声データを再生するスピーカ１６が接続されている。
【００２９】
図２は、ノートＰＣの構成図である。図２において、２１，２２は後述するハードウェア間のデータ伝送を行うＰＣＩバス、ＩＳＡバスである。また、２３は携帯情報機器との間で電波を送受信するアンテナである。
【００３０】
ＰＣＩバス２１には、第１ブリッジ回路２４を介して、ＣＰＵ２５及び数十ＭＢ容量のメモリ２６が接続され、また、アンテナ２３での送受信処理を制御する無線ユニット２７、レジューム／サスペンドを切り換えて省電力を制御する省電力制御ユニット２８、圧縮画像データを復号する画像デコーダ２９、画像描画を制御するグラフィックスアクセラレータ３０、第２ブリッジ回路３１もＰＣＩバス２１に接続されている。グラフィックスアクセラレータ３０は、画像データまたは画像描画情報を格納するフレームメモリ３２を有し、グラフィックスアクセラレータ３０には、ＬＣＤドライバ３３を介してＬＣＤを有する表示ユニット３４が接続されている。表示ユニット３４のＬＣＤは、ＸＧＡ（Ｅｘｔｅｎｄｅｄ  Ｇｒａｐｈｉｃｓ  Ａｒｒａｙ）の解像度を有し、ＸＧＡ，ＰＧＡの何れの解像度での画面表示が可能である。
【００３１】
また、ＩＳＡバス２２には、前記第２ブリッジ回路３１、指定された音源の種類に応じた音波形データを供給する音源ユニット３５、ディジタルの音声データをアナログデータに変換するＤ／Ａ変換器３６、ノートＰＣの動作に必要なソフトウェアのプログラムを予め格納しているＲＯＭ３７が接続されている。第２ブリッジ回路３１には、ユーザが外部入力操作を行うユーザ操作部３８が接続され、ユーザ操作部３８は、データ入力用のキーボード，  マウス、電源の投入・切断を決定するＯＮ／ＯＦＦボタン、レジューム・サスペンドを決定するＳｕｓ／Ｒｅｓ  ボタン等を有する。Ｄ／Ａ変換器３６には、アナログの音声データを再生するスピーカ３９が接続されている。
【００３２】
図３は、このような構成を有する携帯情報機器とノートＰＣとを連携させたユーザ使用状態を示す図である。ユーザは、例えば通勤電車の中で、携帯情報機器４１を両手に持ち、ノートＰＣ４２を収納したショルダーバッグ４３を肩にかけて立っている。このような状況にあって、ユーザはユーザ操作部１５（ペン１５ａ，ＯＮ／ＯＦＦボタン１５ｂ，Ｓｕｓ／Ｒｅｓ  ボタン１５ｃ，フリーズボタン１５ｄ  等）を操作しながら、ノートＰＣ４２との無線通信を利用して各種の処理を行う。
【００３３】
この場合、ユーザが携帯情報機器４１のＳｕｓ／Ｒｅｓ  ボタン１５ｃ  によりレジュームを選択すると、その選択情報を表す電波がアンテナ３から発信されてノートＰＣ４２のアンテナ２３で受信され、ノートＰＣ４２がレジュームの状態となる。また、ユーザがＳｕｓ／Ｒｅｓ  ボタン１５ｃ  によりサスペンドを選択すると、同様の電波送受信によってノートＰＣ４２がサスペンドの状態となる。
【００３４】
このように、携帯情報機器４１側のレジューム・サスペンド選択に応じてノートＰＣ４２側のレジューム・サスペンドが決定されるので、ユーザはノートＰＣ４２の状態を意識することなく、ノートＰＣ４２の省電力モードを変更できる。よって、携帯情報機器４１が立ち上がっている場合にのみノートＰＣ４２は電力を消費し、また、常時バックライト等の電力を節約できるので、ノートＰＣ４２の長時間の使用が可能となる。
【００３５】
携帯情報機器４１は、ノートＰＣ４２のハードディスク（ＨＤ）内のデータ等をノートＰＣ４２から無線通信によって受け取り、そのデータを再生する。即ち、ノートＰＣ４２からビットマップの画像データを受け取った携帯情報機器４１は、その画像データをフレームメモリ９に一旦格納した後、その画像データに応じた画像を表示ユニット１２に表示する。ノートＰＣ４２から音声の波形データを受け取った携帯情報機器４１は、その波形データをＤ／Ａ変換器１３にてアナログデータに変換し、スピーカ１６で音声に再生する。
【００３６】
このように、携帯情報機器４１での処理に必要なデータはノートＰＣ４２から送信供給されるので、携帯情報機器４１及びノートＰＣ４２をシンクロナイズさせる必要がなく、ユーザの手間が省けて利便性が高い。また、メモリ６の容量が小さくても十分な量のデータを入手できるので、携帯情報機器４１の小型軽量化を図れて、ユーザの使い勝手が良い。
【００３７】
以上のように、無線通信の利用により、ノートＰＣ４２を開くことなくノートＰＣ４２を扱えるので、狭い場所であってもノートＰＣ４２の格納データにアクセスできることになる。なお、図３に示したような利用状況だけでなく、ユーザが電車に乗っている際に、ノートＰＣ４２を収納したバッグを車内の棚に載せ、座席に座ったユーザが携帯情報機器４１を操作するような利用状況も可能である。
【００３８】
次に、ノートＰＣ４２も開けて、携帯情報機器４１とノートＰＣ４２とを併用する場合の例について説明する。携帯情報機器４１のフリーズボタン１５ｄ  を押すことにより、表示ユニット１２の表示画面を停止させることができる。この場合、ノートＰＣ４２の表示ユニット３４の表示画面は停止されない。よって、携帯情報機器４１側で画像を停止させておくことにより、２つの表示ユニット１２，３４によるマルチディスプレイを実現できる。この結果、携帯情報機器４１の表示ユニット１２での表示画像を参照しながら、ノートＰＣ４２の表示ユニット３４の画面を使用した処理が可能である。また、電波が届かないような場所に携帯情報機器４１を持っていったような場合でも、その表示ユニット１２での表示画像を確認できる。
【００３９】
なお、ユーザがフリーズボタン１５ｄ  を押す状況は、携帯情報機器４１での処理を中断する場合であることが多いと考えられる。よって、このような場合に対応できるように、フリーズボタン１５ｄ  が押されたときに、ノートＰＣ４２の省電力度を強める、つまり、携帯情報機器４１からノートＰＣ４２をサスペンドの状態に無線で制御する。この結果、ノートＰＣ４２での無駄な電力消費を抑制できる。
【００４０】
携帯情報機器４１に対してノートＰＣ４２から画像データが送信されているか否かを判断し、送信されている場合には、ノートＰＣ４２の画面解像度を携帯情報機器４１の画面解像度に合わせる。具体的には、表示ユニット３４でのＸＧＡによる画面表示を携帯情報機器４１と同じＰＧＡによる画面表示に切り換える。このようにすることにより、携帯情報機器４１で使用している場合とノートＰＣ４２を単独で使用している場合とで、それぞれに最適な画面解像度を設定することができ、ユーザの利便性が向上する。
【００４１】
また、携帯情報機器４１によるユーザ操作入力を無線でノートＰＣ４２へ伝送し、ノートＰＣ４２に対する遠隔操作を可能とする。例えば、ペン１５ａ  の入力情報を伝送し、ノートＰＣ４２のマウス操作を制御する。
【００４２】
また、本発明の携帯情報機器４１では、ノートＰＣ４２と連携して処理を行うか、または、単独で処理を行うかを自動的に判断できるようになっている。図４は、この判断の動作手順を示すフローチャートである。
【００４３】
携帯情報機器４１からノートＰＣ４２へ起動信号を電波で伝送する（ステップＳ１）。そして、ノートＰＣ４２から連携可能を示すＯＫ信号を受信できたか否かを判断する（ステップＳ２）。ＯＫ信号を受信した場合には（Ｓ２：ＹＥＳ）、相互の無線通信を利用してノートＰＣ４２と連携した上述したような携帯情報機器４１の処理を行う（ステップＳ３）。ＯＫ信号を受信できない場合には（Ｓ２：ＮＯ）、所定時間が経過したか否かを判断し（ステップＳ４）、所定時間が経過してもＯＫ信号を受信できない場合には（Ｓ４：ＮＯ）、携帯情報機器４１単独での処理を行う（ステップＳ５）。
【００４４】
このように連携処理か単独処理かを自動的に認識できるので、電波の有効範囲内にノートＰＣ４２が存在するのか、ノートＰＣ４２のアンテナ２３の電源がオンであるのか等を、ユーザが考慮する必要がなく、使い勝手が良い。
【００４５】
（第２の実施の形態）
ところで、このような携帯情報機器４１，ノートＰＣ４２間の無線通信の帯域は一般的に狭い。よって、第１の実施の形態のように、生のデータ（ビットマップの画像データ，音声の波形データ）を伝送する構成では、単位時間に送信可能な情報量が少ないと考えられる。以下に説明する第２の実施の形態では、この帯域の狭さを克服して単位時間あたりに送信する情報量を増大できるようにしている。
【００４６】
図５は６本発明の第２の実施の形態における携帯情報機器の構成図である。図５において、図１と同一部分には同一番号を付してそれらの説明を省略する。なお、この第２の実施の形態の携帯情報機器と連携するノートＰＣの構成は図２に示すものと同じである。
【００４７】
ＰＣＩバス１には、第１ブリッジ回路４，無線ユニット７，省電力制御ユニット８及び第２ブリッジ回路１０に加えて、圧縮画像データを復号する画像デコーダ１７、画像描画を制御するグラフィックスアクセラレータ１８が接続されている。そして、グラフィックスアクセラレータ１８に、ＬＣＤドライバ１１を介して表示ユニット１２が接続されている。また、ＩＳＡバス２には、第２ブリッジ回路１０，Ｄ／Ａ変換器１３及びＲＯＭ１４に加えて、指定された音源の種類に応じた音波形データを供給する音源ユニット１９が接続されている。
【００４８】
携帯情報機器に設けられているこれらの画像デコーダ１７，グラフィックスアクセラレータ１８及び音源ユニット１９は、連携するノートＰＣに設けられている画像デコーダ２９，グラフィックスアクセラレータ３０及び音源ユニット３５と、それぞれ同一の設計仕様をなしており、同一の入力データに応じて同じ処理動作を行う。
【００４９】
このような携帯情報機器の構成であれば、生のデータ（ビットマップの画像データ，音声の波形データ）ではなく、より簡略化したデータをノートＰＣから受信して、画像表示または音声再生を実現できる。具体的には、例えばＭＰＥＧ（Ｍｏｖｉｎｇ  Ｐｉｃｔｕｒｅ  Ｅｘｐｅｒｔ  Ｇｒｏｕｐ）基準に沿って圧縮された圧縮画像データをノートＰＣから伝送された携帯情報機器は、その圧縮画像データを画像デコーダ１７にて元の画像データに復号し、その画像データに応じた画像を表示ユニット１２に表示する。または、ノートＰＣから携帯情報機器へ描画の命令情報（例えば円を表示する場合にはその中心及び半径情報）が伝送された場合、その命令情報に基づくグラフィックスアクセラレータ１８の処理により、所望の画像が表示ユニット１２に表示される。また音声の場合には、音源を特定する命令情報（例えばピアノ，フルート等を指定する情報）がノートＰＣから携帯情報機器へ伝送された場合、その命令情報に基づく音源ユニット１９の処理により、所望の音声がスピーカ１６で再生される。
【００５０】
このように生の画像データ，音声データではなく、圧縮画像データ，命令情報を伝送するようにしたのでの、同じ画像表示，音声再生を行う場合に、第１の実施の形態と比べて、伝送するデータ量を大幅に低減できる。この結果、狭い伝送帯域であっても十分な情報をノートＰＣから携帯情報機器へ伝送することが可能である。
【００５１】
なお、この第２の実施の形態における他の動作処理（ノートＰＣに対するレジューム・サスペンドの遠隔制御，  表示画面に対するフリーズ処理，フリーズ処理に連動したノートＰＣのサスペンド処理，ノートＰＣに対する画面解像度の自動設定等）、及び、効果（レジューム・サスペンドの遠隔制御によるノートＰＣの省電力化，ノートＰＣからのデータ伝送に伴う携帯情報機器の小型軽量化，フリーズ処理によるマルチディスプレイの実現，画面解像度の自動設定による利便性向上等）は、前述した第１の実施の形態と同様であるので説明を省略する。
【００５２】
なお、上述した例では、携帯情報機器のレジューム・サスペンド設定（Ｓｕｓ／Ｒｅｓ  ボタン１５ｃ  の選択）に応じてノートＰＣのレジューム・サスペンドを決定するようにしたが、携帯情報機器の電源投入・切断設定（ＯＮ／ＯＦＦボタン１５ｂ  の選択）に応じてノートＰＣのレジューム・サスペンドを決定するようにしても良い。
【００５３】
また、上述した例では、携帯情報機器と連携するコンピュータとしてノートＰＣを用いる場合について説明したが、携帯情報機器にＰＨＳまたは携帯電話の機能を付設するようにした構成では、遠く離れたコンピュータとの無線通信も可能であり、このような場合、連携するコンピュータとして、例えば事務所内にあるデスクトップ型コンピュータ、社内のサーバコンピュータ等も使用でき、これらのコンピュータへの本発明の携帯情報機器の適用を同様に行える。
【００５４】
【発明の効果】
以上のように本発明の携帯情報機器では、無線により連携するコンピュータのレジューム／サスペンドを自身に対する操作に同期して制御するようにしたので、コンピュータの不要な電力の消費を無意識のうちに防止でき、コンピュータが長く作動し、コンピュータからの長時間にわたる情報の受信が可能となる。
【００５５】
また、連携するコンピュータに格納された情報を無線受信して使用するので、従来のようなシンクロナイズする処理が不要であって、ユーザの利便性が高くなる。
【図面の簡単な説明】
【図１】本発明の携帯情報機器（第１の実施の形態）の構成図である。
【図２】本発明の携帯情報機器と連携するノートＰＣの構成図である。
【図３】本発明の携帯情報機器のユーザ使用状態を示す図である。
【図４】本発明の携帯情報機器の動作手順を示すフローチャートである。
【図５】本発明の携帯情報機器（第２の実施の形態）の構成図である。
【符号の説明】
３  アンテナ
５  ＣＰＵ
７  無線ユニット
１２，３４    表示ユニット
１４    ＲＯＭ
１５    ユーザ操作部
１５ｂ  ＯＮ／ＯＦＦボタン
１５ｃ  Ｓｕｓ／Ｒｅｓ  ボタン
１５ｄ  フリーズボタン
１７，２９    画像デコーダ
１８，３０    グラフィックスアクセラレータ
１９，３５    音源ユニット
４１    携帯情報機器
４２    ノートＰＣ（ノート型パーソナルコンピュータ）
【図１】
0003557492.tif 000002
【図２】
0003557492.tif 000003
【図３】
0003557492.tif 000004
【図４】
0003557492.tif 000005
【図５】
0003557492.tif 000006